(57)【特許請求の範囲】
【請求項１】
車体フレーム(1)上の前部に運転部(2)を設けると共に、同運転部(2)は、キャビン(9)内にハンドル(11)と座席(13)とを配置した農薬散布車において、
キャビンフレーム(14)は、背面視にて四角形枠状に形成して安全フレームも兼用する後部支持フレーム(20)と、同後部支持フレーム(20)の上側水平部(20a)を利用して前方へ張り出し状に形成した四角形枠状の天井支持フレーム(21)とを具備し、
同天井支持フレーム(21)は、側方水平部(21a,21b)と前側水平部(21c)との上側縁部に沿わせて水平取付面部(21d)を内方に張り出し状に形成すると共に、同水平取付面部(21d)の内側縁部より上方へ係合用立ち上がり壁(21e)を形成して、水平取付面部(21d)には上下方向に貫通するボルト挿通孔(26)を形成する一方、
前記天井部(15)は、天井部本体(15a)を四角形のキャップ状に形成し、同天井部本体(15a)の内面周縁部に係合兼取付用板体(15b)を取り付け、同係合兼取付用板体(15b)に取っ手(15c)を取り付けると共に、同係合兼取付用板体(15b)に上記ボルト挿通孔(26)と上下方向に符合するボルト孔(27)を形成して、
天井支持フレーム(21)に天井部(15)を上から嵌合させた状態にて、両孔(26,27)中につまみ付きボルト(28)を螺着して、同天井部(15)を前記キャビン(9)内より着脱可能に取り付けたことを特徴とする農薬散布車。
【発明の詳細な説明】
【０００１】
【発明の属する技術分野】
本発明は、農薬散布車に関する。
【０００２】
【従来の技術】
従来、農薬散布車の一形態として、 車体フレーム上に運転部を設けると共に、 同運転部は、 キャビン内にハンドルと座席とを配置して構成したものがある。
【０００３】
そして、 キャビンは、 左・ 右側壁形成部をそれぞれ開閉ドア体として、 各開閉ドア体を開閉させることにより、 キャビン内への乗降が行えるようにしている。
【０００４】
【発明が解決しようとする課題】
ところが、上記した農薬散布車では、 狭隘地に侵入した場合や不慮の事故で車体が横転した場合等において、 開閉ドアを開放することができないという事態が発生することがり、そのような事態において、オペレータが降車することも脱出することもできないという不具合が生じることがある。
【０００５】
また、 キャビンは、 不慮の事故で車体が横転した際に、 キャビン全体が押し潰されて、 オペレータを十分に保護できないという不具合が生じることがある。
【０００６】
【課題を解決するための手段】
そこで、本発明では、車体フレーム上の前部に運転部を設けると共に、同運転部は、キャビン内にハンドルと座席とを配置した農薬散布車において、キャビンフレームは、背面視にて四角形枠状に形成して安全フレームも兼用する後部支持フレームと、同後部支持フレームの上側水平部を利用して前方へ張り出し状に形成した四角形枠状の天井支持フレームとを具備し、同天井支持フレームは、側方水平部と前側水平部との上側縁部に沿わせて水平取付面部を内方に張り出し状に形成すると共に、同水平取付面部の内側縁部より上方へ係合用立ち上がり壁を形成して、水平取付面部には上下方向に貫通するボルト挿通孔を形成する一方、前記天井部は、天井部本体を四角形のキャップ状に形成し、同天井部本体の内面周縁部に係合兼取付用板体を取り付け、同係合兼取付用板体に取っ手を取り付けると共に、同係合兼取付用板体に上記ボルト挿通孔と上下方向に符合するボルト孔を形成して、天井支持フレームに天井部を上から嵌合させた状態にて、両孔中につまみ付きボルトを螺着して、同天井部を前記キャビン内より着脱可能に取り付けたことを特徴とする農薬散布車を提供するものである。
【００１１】
【発明の実施の形態】
以下に、 本発明の実施の形態について説明する。
【００１２】
すなわち、 本発明にかかる農薬散布車は、 車体フレーム上の前部に運転部を設けると共に、 同運転部は、 キャビン内にハンドルと座席とを配置し、 キャビンは、天井部を、 同キャビン内より着脱可能としている。
【００１３】
このようにして、 狭隘地に侵入した場合や不慮の事故で車体が横転した場合等において、 開閉ドアを開放することができないという事態が発生した場合には、 キャビンの天井部をキャビン内より取り外すことにより、 キャビンの天井側を開放して、 ここから速やかに脱出することができる。
【００１４】
また、 本発明にかかる農薬散布車は、 車体フレーム上の前部に運転部を設けると共に、 同運転部は、 キャビン内にハンドルと座席とを配置し、 キャビンは、 後部に安全フレームを兼用する背面視四角形枠状の後部支持フレームを具備している。
【００１５】
このようにして、 不慮の事故で車体が横転した際にも、キャビンの後部支持フレームが安全フレームとして機能して、 キャビン全体が押し潰されるのを防止することができ、 その結果、 オペレータを十分に保護することができて、オペレータの安全性を良好に確保することができる。
【００１６】
しかも、 キャビンは、 立体枠状に形成したキャビンフレームに、天井部と左・ 右側壁形成部とフロントガラス部とフロントマスク部とを取り付けて形成している。
【００１７】
このようにして、 キャビンの組立性を良好となしている。
【００１８】
さらには、 左・ 右側壁形成部とフロントガラス部とフロントマスク部は、 それぞれキャビンフレームに着脱自在に取り付けている。
【００１９】
このようにして、 キャビン内に配設した操作部等の点検・ 整備を行う際には、 左・ 右側壁形成部とフロントガラス部とフロントマスク部の内、 点検・ 整備個所に近いものを取り外すことにより、 簡単かつ確実に点検・ 整備を行うことができて、 点検・ 整備性を向上させることができる。
【００２０】
【実施例】
以下に、本発明の実施例を、図面を参照しながら説明する。
【００２１】
図1 に示すＡは、本発明に係る農薬散布車であり、 同農薬散布車Ａは、 車体フレーム1 上において、 前部に運転部２を設け、 その直後方位置に薬液タンク３を設け、 その直後方位置に原動機部4 を設け、 その直後方位置に薬液散布部５を設けており、6 は前車輪、7は後車輪である。
【００２２】
そして、 原動機部4 は、 エンジンＥと薬液噴霧用ポンプ8 とを具備している。
【００２３】
このようにして、 農薬散布車Ａは、 車体を走行させながら、 薬液タンク3 内に貯溜している薬液を薬液散布用ポンプ８により薬液散布部５に圧送して、 同薬液散布部５より周囲に薬液を散布するようにしている。
【００２４】
この際、 運転部2 は、 車体フレーム１上の最前部に配置する一方、 薬液散布部５は、 車体フレーム１上の最後部に配置しているため、 薬液散布部5 より散布された薬液が運転部２に付着することが少なくなり、 付着薬液による運転の支障をなくすことができる。
【００２５】
しかも、 車体フレーム１の中央部寄り位置に、 比較的重量物である薬液タンク３と原動機部４とを配置しているため、 車体の安定性も良好に確保することができて、走行性を向上させることができる。
【００２６】
運転部２は、 車体フレーム１の前部にキャビン9 を配設し、 同キャビン9 内において、 車体フレーム1 の前端部に操作コラム10を立設し、 同操作コラム10の上端部にハンドル11をハンドル支軸12を介して取り付け、 同ハンドル11の直後方位置に座席13を配置している。
【００２７】
キャビン９は、 図２にも示すように、 立体枠状に形成したキャビンフレーム14に、天井部15と左・ 右側壁形成部16,17 とフロントガラス部18とフロントマスク部19と後壁形成部25とをそれぞれ着脱自在に取り付けて形成している。
【００２８】
キャビンフレーム14は、 背面視にて四角形枠状に形成して安全フレームも兼用する後部支持フレーム20と、 同後部支持フレーム20の上側水平部20a を利用して前方へ張り出し状に形成した四角形枠状の天井支持フレーム21と、 同天井支持フレーム21の側方水平部21a,21b と後部支持フレーム20の立ち上がり部20b,20b とを利用して左右側方にそれぞれ形成した枠状の左・ 右側方支持フレーム22,22 と、両左・ 右側方支持フレーム22,22 の上半部の傾斜部22a,22b と天井支持フレーム21の前側水平部21c とを利用して形成した四角形枠状のフロントガラス支持フレーム23と、 同フロントガラス支持フレーム23の下側水平部23a と左・ 右側方支持フレーム22,22 の下半部の立ち上がり部22c,22d とを利用して形成した四角形枠状のフロントマスク支持フレーム24とを具備しており、 各フレーム20,21,22,23,24は金属製パイプにより形成している。
【００２９】
このようにして、 キャビンフレーム14は、 金属製パイプにより立体枠状に形成することにより、 後部支持フレーム20のみならず、 キャビンフレーム14全体が安全フレームとして機能するようにして、 オペレータの安全を良好に確保している。
【００３０】
天井支持フレーム21は、 図２及び図３に示すように、 側方水平部21a,21b と前側水平部21c との上側縁部に沿わせて水平取付面部21d を内方に張り出し状に形成すると共に、 同水平取付面部21d の内側縁部より上方へ係合用立ち上がり壁21e を形成しており、水平取付面部21d には上下方向に貫通する複数のボルト挿通孔26を形成している。
【００３１】
そして、 天井部15は、図２及び図３に示すように、 後部支持フレーム20に後述する後壁形成部25を取り付けた状態にて、 天井支持フレーム21及び後壁形成部25の上面形成部の上から嵌合状態に取り付けているものであり、 天井部本体15a を四角形のキャップ状に形成し、 同天井部本体15a の内面周縁部に係合兼取付用板体15b を取り付け、 同係合兼取付用板体15b に取っ手15c を取り付けている。27 は、 係合兼取付用板体15b に形成したボルト孔である。
【００３２】
このようにして、天井部15を、 天井支持フレーム21及び後壁形成部25の上面形成部の上から嵌合状態に載置すると、 天井支持フレーム21の水平取付面部21d に係合兼取付用板体15b が当接すると共に、 係合用立ち上がり壁21e に係合兼取付用板体15b が係合し、 さらに、 同状態にて水平取付面部21d のボルト挿通孔26と係合兼取付用板体15b のボルト孔27とが上下方向に符合し、 両孔26,27 中につまみ付きボルト28を螺着することにより、 天井部15を簡単に取り付けることができるようにしている。
【００３３】
そして、 天井部15を取り外す際には、 上記した取付手順とは反対の手順をたどればよく、 簡単に取り外すことができる。
【００３４】
この際、 天井部15の取付・ 取り外し作業は、 キャビン９内より行うことができようにしているため、 不慮の事故等により後述する開閉ドアである右側壁形成部17が開放できない場合には、 上記した手順により天井壁15をキャビン9 内より取り外すことにより、 速やかに脱出することができる。
【００３５】
左側壁形成部16は、 図2 に示すように、 上側窓ガラス部30と下側窓ガラス部31とから形成しており、 枠状に形成した左側方支持フレーム22の中途部に、 前後方向に伸延する中間支持片32を横架して、 左側方支持フレーム22に上側窓枠22e と下側窓枠22f とを形成して、 上側窓枠22e に上側窓ガラス部30を着脱自在に取り付けると共に、 下側窓枠22f に下側窓ガラス部31を着脱自在に取り付けている。 なお、 上・ 下側窓ガラス部30,31 は、 それぞれ取付用ビス( 図示せず) により取り付けている。33 はサイドミラーである。
【００３６】
右側壁形成部17は、図2 に示すように、 右側方支持フレーム22の内周縁形状に沿わせて形成した形成部枠体34と、 同形成部枠体34に張設した上側窓ガラス部35及び下側窓ガラス部36と、 上側窓ガラス部35の下側前部に取り付けたサイドミラー37と、 同上側ガラス部35の下側後部に取り付けた開閉用取っ手38と、 形成部枠体34の前側下部に取り付けた枢支ブラケット39とから開閉ドアを形成しており、枢支ブラケット39を左側方支持フレーム22の立ち上がり部22d に突設した枢支片40に枢支ピン( 図示せず) を介して開閉自在に枢支している。
【００３７】
フロントガラス部18は、図2 に示すように、 フロントガラス支持フレーム23に取付用ビス( 図示せず) により着脱自在に取り付けている。
【００３８】
フロントマスク部19は、図2 に示すように、 フロントマスク支持フレーム24に取付用ビス( 図示せず) により着脱自在に取り付けている。41 はバンパーである。
【００３９】
後壁形成部25は、図2 に示すように、 後部支持フレーム20の上面と左右側面とに沿わせて配置すべく正面視門型に形成した取付部42と、 同取付部42の後端縁に張設した後壁本体43とから形成しており、 後壁本体43の上部には左右方向に横長の後窓ガラス部43a を設けている。44 はウインカーである。
【００４０】
そして、 かかる後壁形成部25も、 後部支持フレーム20に取付用ビス( 図示せず) により着脱自在に取り付けている。
【００４１】
【発明の効果】
本発明によれば、次のような効果が得られる。
【００４２】
本発明では、車体フレーム上の前部に運転部を設けると共に、同運転部は、キャビン内にハンドルと座席とを配置した農薬散布車において、キャビンフレームは、背面視にて四角形枠状に形成して安全フレームも兼用する後部支持フレームと、同後部支持フレームの上側水平部を利用して前方へ張り出し状に形成した四角形枠状の天井支持フレームとを具備し、同天井支持フレームは、側方水平部と前側水平部との上側縁部に沿わせて水平取付面部を内方に張り出し状に形成すると共に、同水平取付面部の内側縁部より上方へ係合用立ち上がり壁を形成して、水平取付面部には上下方向に貫通するボルト挿通孔を形成する一方、前記天井部は、天井部本体を四角形のキャップ状に形成し、同天井部本体の内面周縁部に係合兼取付用板体を取り付け、同係合兼取付用板体に取っ手を取り付けると共に、同係合兼取付用板体に上記ボルト挿通孔と上下方向に符合するボルト孔を形成して、天井支持フレームに天井部を上から嵌合させた状態にて、両孔中につまみ付きボルトを螺着して、同天井部を前記キャビン内より着脱可能に取り付けている。
【００４３】
このように、キャビンフレームが、背面視にて四角形枠状に形成して安全フレームも兼用する後部支持フレームを具備しているため、不慮の事故で車体が横転した際にも、上記後部支持フレームが安全フレームとして機能して、キャビン全体が押し潰されるのを防止することができる。
その結果、オペレータを十分に保護することができて、オペレータの安全性を良好に確保することができる。
【００４４】
この際、天井部の取付・取り外し作業は、キャビン内より行うことができようにしているため、不慮の事故等により開閉ドアが開放できない場合には、上記した手順により天井壁をキャビン内より取り外すことにより、速やかに脱出することができる。
【００４５】
すなわち、天井部は、天井支持フレーム及び後壁形成部の上面形成部の上から嵌合状態に載置すると、天井支持フレームの水平取付面部に係合兼取付用板体が当接すると共に、係合用立ち上がり壁に係合兼取付用板体が係合し、さらに、同状態にて水平取付面部のボルト挿通孔と係合兼取付用板体のボルト孔とが上下方向に符合し、両孔中につまみ付きボルトを螺着することにより、天井部を簡単に取り付けているため、天井部15を取り外す際には、上記した取付手順とは反対の手順をたどれば、簡単に取り外すことができる。
【図面の簡単な説明】
【図１】本発明に係る農薬散布車の側面図。
【図２】同農薬散布車のキャビンの分解斜視図。
【図３】同キャビンの天井部の断面背面説明図。
【符号の説明】
Ａ  農薬散布車
１  車体フレーム
２  運転部
３  薬液タンク
４  原動機部
５  薬液散布部
６  前車輪
７  後車輪
８  薬液噴霧用ポンプ
９  キャビン
【図１】
0003938452.tif 000002
【図２】
0003938452.tif 000003
【図３】
0003938452.tif 000004